(57)【特許請求の範囲】
【請求項１】
眼鏡フレームのテンプル部に取り付けて使用される眼鏡モダンであって、
前記テンプル部が挿入されるテンプル挿入部と、
ウェアラブル機器を着脱自在に係合支持するための取り付け部と、を備え、
前記取り付け部は、前記テンプル挿入部に前記テンプルが挿入された前記眼鏡フレームの使用状態において、当該眼鏡モダンの使用者の頭部側の面とは反対側の表面に、前記テンプル挿入部の長手方向に対して前下がりに傾斜する軸線方向に沿って設けられた溝部または突起部からなる、ことを特徴とするウェアラブル機器取り付け用眼鏡モダン。
【請求項２】
前記取り付け部は、半円柱空洞状に形成された溝部からなり、
該溝部は、前記軸線方向と直交する方向に弾性変形可能に形成された開口部を備える、
ことを特徴とする請求項１に記載のウェアラブル機器取り付け用眼鏡モダン。
【請求項３】
バッテリを収容するバッテリ収容部を備え、
前記取り付け部は、前記バッテリ収容部に収容されるバッテリからの電力を、前記ウェアラブル機器に給電するための一対の電極を備える、
ことを特徴とする請求項１又は２に記載のウェアラブル機器取り付け用眼鏡モダン。
【請求項４】
前記一対の電極は、前記軸線方向と直交する方向に離間して配置されている、
ことを特徴とする請求項３に記載のウェアラブル機器取り付け用眼鏡モダン。
【請求項５】
前記バッテリ収容部は、前記テンプル挿入部に前記テンプルが挿入された前記眼鏡フレームの使用状態において、使用者の耳から後頭部側に位置する部分に形成されている、
ことを特徴とする請求項３又は４に記載のウェアラブル機器取り付け用眼鏡モダン。
【発明の詳細な説明】
【技術分野】
【０００１】
本発明は、ウェアラブル機器を眼鏡フレームに取り付けるためのウェアラブル機器取り付け用眼鏡モダンに関するものである。
【背景技術】
【０００２】
従来、頭部装着型表示装置等のウェアラブル機器を、頭部に装着可能な眼鏡フレーム等の支持フレームに取り付けて利用することが知られている（例えば、特許文献１参照）。
【先行技術文献】
【特許文献】
【０００３】
【特許文献１】特開２０１０−９１７４８号公報
【発明の概要】
【発明が解決しようとする課題】
【０００４】
しかしながら、特許文献１に開示の取り付け機構では、ウェアラブル機器を眼鏡フレームのテンプル部にビス等で固定するようにしている。そのため、ウェアラブル機器の脱着が煩雑となる。また、ウェアラブル機器を眼鏡フレームの前方側（耳よりも前側）で固定するようにしている。そのため、使用装着状態において、重心が前にかかりすぎて、ウェアラブル機器を装着した側が傾いたり、鼻当て部に重量がかかりすぎたりして、装着感や安定性が低下する場合がある。
【０００５】
また、眼鏡フレームのテンプル部は、様々な形状がある。そのため、このような様々な形状のテンプル部に、ウェアラブル機器やそれを取り付けるためのアタッチメント部材等を固定するのは困難である。更に、ウェアラブル機器をワイヤレス化する場合は、ウェアラブル機器にバッテリを内蔵する必要がある。この場合、ウェアラブル機器の重量やサイズが大きくなって、装着感や安定性がより低下し、さらに外観デザインが損なわれる場合がある。
【０００６】
したがって、かかる観点に鑑みてなされた本発明の主たる目的は、ウェアラブル機器を容易に着脱できるとともに、装着感や安定性を向上でき、ウェアラブル機器を快適に使用可能なウェアラブル機器取り付け用眼鏡モダンを提供することにある。
【課題を解決するための手段】
【０００７】
上記目的を達成する本発明に係るウェアラブル機器取り付け用眼鏡モダンの要旨構成は、以下の通りである。
（１）眼鏡フレームのテンプル部に取り付けて使用される眼鏡モダンであって、
前記テンプル部が挿入されるテンプル挿入部と、
ウェアラブル機器を着脱自在に係合支持するための取り付け部と、を備え、
前記取り付け部は、前記テンプル挿入部に前記テンプルが挿入された前記眼鏡フレームの使用状態において、当該眼鏡モダンの使用者の頭部側の面とは反対側の表面に、前記テンプル挿入部の長手方向に対して前下がりに傾斜する軸線方向に沿って設けられた溝部または突起部からなる、ことを特徴とするものである。
【０００９】
（２）上記（１）に記載のウェアラブル機器取り付け用眼鏡モダンにおいて、
前記取り付け部は、半円柱空洞状に形成された溝部からなり、
該溝部は、前記軸線方向と直交する方向に弾性変形可能に形成された開口部を備える、
ことを特徴とするものである。
【００１１】
（３）上記（１）又は（２）に記載のウェアラブル機器取り付け用眼鏡モダンにおいて、
バッテリを収容するバッテリ収容部を備え、
前記取り付け部は、前記バッテリ収容部に収容されるバッテリからの電力を、前記ウェアラブル機器に給電するための一対の電極を備える、
ことを特徴とするものである。
【００１２】
（４）上記（３）に記載のウェアラブル機器取り付け用眼鏡モダンにおいて、
前記一対の電極は、前記軸線方向と直交する方向に離間して配置されている、
ことを特徴とするものである。
【００１４】
（５）上記（３）又は（４）に記載のウェアラブル機器取り付け用眼鏡モダンにおいて、
前記バッテリ収容部は、前記テンプル挿入部に前記テンプルが挿入された前記眼鏡フレームの使用状態において、使用者の耳から後頭部側に位置する部分に形成されている、
ことを特徴とするものである。
【発明の効果】
【００１５】
本発明によれば、ウェアラブル機器を容易に着脱できるとともに、装着感や安定性を向上でき、ウェアラブル機器を快適に使用することが可能となる。
【図面の簡単な説明】
【００１６】
【図１】本発明の第１実施の形態に係るウェアラブル機器取り付け用眼鏡モダンを示す図である。
【図２】図１の眼鏡モダンを有する眼鏡フレームを示す図である。
【図３】既存の眼鏡フレームを示す図である。
【図４】図１の眼鏡モダンへのウェアラブル機器の係合支持状態を示す全体図である。
【図５】図４のＶ−Ｖ線断面図である。
【図６】図４に示すウェアラブル機器の突起部を示す斜視図である。
【図７】本発明の第２実施の形態に係るウェアラブル機器取り付け用眼鏡モダンを有する眼鏡フレームを示す図である。
【図８】図７の眼鏡モダンへのウェアラブル機器の取り付け状態を示す断面図である。
【発明を実施するための形態】
【００１７】
以下、本発明に係るウェアラブル機器取り付け用眼鏡モダン（以下、適宜、眼鏡モダンと略記する）の実施の形態について、図を参照して説明する。
【００１８】
（第１実施の形態）
図１は、本発明の第１実施の形態に係るウェアラブル機器取り付け用眼鏡モダンを示す図である。本実施の形態に係る眼鏡モダン１０は、眼鏡フレームの耳掛け部として部品であり、眼鏡フレームのテンプル部が挿入されるテンプル挿入部１１と、ウェアラブル機器を脱着可能に係合支持する取り付け部である溝部１２とを備える。溝部１２は、ウェアラブル機器をテンプル部に対して前下がりに傾斜する前後方向にスライド可能に係合支持するように、半円柱空洞状に形成されている。
【００１９】
図１に示した眼鏡モダン１０は、図２に示すように、テンプル挿入部１１に眼鏡フレーム１００のテンプル部１０１が挿入されて、テンプル部１０１に連結されて使用される。したがって、様々な形状の眼鏡フレームに使用可能である。なお、テンプル部１０１は、通常、モダン側の端部が細くなる先細形状となっている。また、図３に示すように、既存の眼鏡フレーム１００は、テンプル部１０１に装着されているモダン１０２が、新しいモダンと交換可能となっている。したがって、使用者が所有する眼鏡フレーム１００のモダン１０２を、図１に示した眼鏡モダン１０と交換することにより、使い慣れた眼鏡フレーム１００でのウェアラブル機器の使用が可能となる。
【００２０】
本実施の形態に係る眼鏡モダン１０は、図２に示したように、テンプル挿入部１１に眼鏡フレーム１００のテンプル部１０１が挿入固定されて使用される。そして、図２に示した状態で、溝部１２にウェアラブル機器が着脱可能に、かつ、前下がりに傾斜する前後方向にスライド可能に係合支持される。
【００２１】
図４は、眼鏡フレーム１００に連結された眼鏡モダン１０へのウェアラブル機器１２０の係合支持状態を示す全体図である。図５は、図４のＶ−Ｖ線断面図である。図４に示すように、ウェアラブル機器１２０は、テンプル部１０１に沿って前下がりに傾斜して配置されるもので、例えば、映像表示装置や撮像装置等からなる。ウェアラブル機器１２０は、図６に示すように、眼鏡モダン１０の溝部１２に着脱自在に係合する円柱状の突起部１２１を備えている。
【００２２】
ここで、ウェアラブル機器１２０は、例えば、突起部１２１を、眼鏡モダン１０の溝部１２の一方の端部から挿入して容易に係合支持させることができる。あるいは、眼鏡モダン１０の溝部１２を、少なくともウェアラブル機器１２０のスライド方向に沿った開口部が弾性変形可能に形成する。そして、ウェアラブル機器１２０の突起部１２１を、溝部１２の軸線方向と直交する方向から開口部に押圧した際に、開口部を弾性変形させて開口を大きくし、これにより突起部１２１を開口部から溝部１２に挿入して容易に係合支持させることができる。
【００２３】
本実施の形態に係る眼鏡モダン１０によると、溝部１２にウェアラブル機器１２０の突起部１２１を着脱可能に係合支持するので、ウェアラブル機器１２０を容易に着脱することができるとともに、ウェアラブル機器１２０の装着感や安定性を向上でき、ウェアラブル機器１２０を快適に使用することが可能となる。また、ウェアラブル機器１２０は、テンプル部１０１に沿って配置されて、テンプル部１０１に沿ってスライド可能に支持されるので、眼鏡フレーム１００の様々なサイズ及び使用者の頭部のサイズに合わせて、ウェアラブル機器１２０の取り付け位置を容易に調整することができる。
【００２４】
特に、本実施の形態では、ウェアラブル機器１２０が、テンプル部１０１に対して前下がりに傾斜して配置されて、その傾斜する前後方向にスライド可能に支持される。したがって、使用者が眼鏡フレーム１００を装着した状態で、ウェアラブル機器１２０と耳との干渉を避けることができるとともに、ウェアラブル機器１２０の前方が眼鏡フレーム１００と干渉するのを避けることができる。
【００２５】
更に、眼鏡モダン１０の溝部１２は、使用者の耳のほぼ上部に位置することになるので、ウェアラブル機器１２０の重量が眼鏡フレーム１００の前側に掛かるのを防止することができる。これにより、特に、眼鏡フレーム１００の片側前方に重量がかかることによる、眼鏡フレーム１００の傾きを防止することができる。したがって、ウェアラブル機器１２０の装着感や安定性をより向上でき、ウェアラブル機器１２０をより快適に使用することが可能となる。
【００２６】
（第２実施の形態）
図７は、本発明の第２実施の形態に係るウェアラブル機器取り付け用眼鏡モダンを有する眼鏡フレームを示す図である。図８は、図７の眼鏡モダンへのウェアラブル機器の取り付け状態を示す断面図である。本実施の形態に係る眼鏡モダン２０は、第１実施の形態に係る眼鏡モダン１０において、更に、使用者の耳から後頭部側に位置する部分にバッテリ収容部２１を備える。
【００２７】
また、ウェアラブル機器１３０をスライド可能に支持する溝部１２は、バッテリ収容部２１に収容されるバッテリからの電力を、ウェアラブル機器１３０に給電するための一対の電極２２，２３を備える。電極２２，２３は、半円柱空洞状の溝部１２の内壁に、ウェアラブル機器１３０のスライド方向と直交する方向に離間して配置されている。本実施の形態では、電極２２，２３が、溝部１２の内壁の対向する部分に配設されている。
【００２８】
一方、ウェアラブル機器１３０は、眼鏡モダン２０の溝部１２に着脱自在に係合する円柱状の突起部１２１に、溝部１２との係合状態で、溝部１２の一対の電極２２，２３と接触する一対の電極１３１，１３２を備える。本実施の形態では、電極２２と電極１３１とが接触し、電極２３と電極１３２とが接触するようになっている。また、電極２２及び電極１３１の少なくとも一方、及び、電極２３及び電極１３２の少なくとも一方は、ウェアラブル機器１３０のスライド範囲に亘って対応する電極と接触するように、それぞれスライド方向に延在して配設されている。本実施の形態では、溝部１２側の電極２２，２３が、スライド方向に延在して配設されている。
【００２９】
本実施の形態に係る眼鏡モダン２０によると、バッテリ収容部２１に所要のバッテリを収容することにより、溝部１２にウェアラブル機器１３０を係合支持した状態で、バッテリからの電力を、一対の電極２２，２３を介してウェアラブル機器１３０に、そのスライド範囲に亘って給電することができる。したがって、ウェラブル機器１３０側にバッテリを内蔵させる必要がないので、第１実施の形態における効果に加えて、ウェアラブル機器１３０の重量低減、小型化に寄与し、外観デザインを向上させることができる。
【００３０】
更に、バッテリ収容部２１が、使用者の耳から後頭部側に位置する部分に設けられているので、装着時に邪魔にならず、また、眼鏡フレーム１００とウェアラブル機器１３０とを含めた重量バランスがよくなる。したがって、ウェアラブル機器１３０の装着感及び安定性をより向上することができる。
【００３１】
なお、本発明は、上記実施の形態にのみ限定されるものではなく、幾多の変形または変更が可能である。例えば、上記実施の形態では、右耳用の眼鏡モダンを示したが、左耳用の眼鏡モダンについても同様に構成することができる。また、ウェアラブル機器の取り付け部は、溝部１２に限らず、突起部により構成することもできる。この場合は、ウェアラブル機器側に、取り付け部の突起部が係合する溝部が形成される。また、互いに係合する溝部及び突起部の形状は、円柱形状に限らず、角柱形状等の任意の形状とすることができる。
【００３２】
更に、取り付け部は、ウェアラブル機器を前下がりに傾斜した方向にスライド可能に係合支持する構成に限らず、テンプル部とほぼ平行な方向や、後ろ下がりに傾斜する方向にスライド可能に係合支持するように構成することもできる。また、取り付け部は、ウェアラブル機器を固定的に係合支持するように構成することもできる。また、第２実施の形態において、バッテリ収容部２１は、使用者の耳から後頭部側に位置する部分に限らず、耳の上部側に位置する部分に形成することもできる。
【符号の説明】
【００３３】
１０  眼鏡モダン
１１  テンプル挿入部
１２  溝部（取り付け部）
１００  眼鏡フレーム
１０１  テンプル部
１０２  モダン
１２０  ウェアラブル機器
１２１  突起部
２０  眼鏡モダン
２１  バッテリ収容部
２２，２３  電極
１３０  ウェアラブル機器
１３１，１３２  電極
【図１】
0005945426.tif 000002
【図２】
0005945426.tif 000003
【図３】
0005945426.tif 000004
【図４】
0005945426.tif 000005
【図５】
0005945426.tif 000006
【図６】
0005945426.tif 000007
【図７】
0005945426.tif 000008
【図８】
0005945426.tif 000009